(57)【要約】【課題】画像のホワイトバランスが不必要に変化するのを抑制しつつ、表示部からの青色光の出力を適切に低下させることによりユーザの目の疲労度を軽減することが可能な表示装置を提供する。【解決手段】この液晶テレビジョン装置（表示装置）１０は、画像を表示する液晶パネル１と、液晶パネル１において画像が継続して表示される第１期間にわたって、液晶パネル１から順次出力される青色光の出力量の累積値を取得し、取得した累積値に応じて、液晶パネル１からの青色光の出力を低下させる制御を行う制御部５とを備える。【選択図】図３
2016126110.tif 000002
【特許請求の範囲】
【請求項１】
画像を表示する表示部と、
前記表示部において前記画像が継続して表示される第１期間にわたって、前記表示部から順次出力される青色光の出力量の累積値を取得し、取得した前記累積値に応じて、前記表示部からの青色光の出力を低下させる制御を行う制御部とを備える、表示装置。
【請求項２】
前記制御部は、前記表示部から出力可能な青色光の最大出力量が前記第１期間連続する場合の最大累積値に対する、前記第１期間における前記表示部からの青色光の前記出力量の前記累積値の割合に応じて、前記表示部から出力される青色光の出力を低下させる制御を行うように構成されている、請求項１に記載の表示装置。
【請求項３】
前記表示部に光を照射する光源部をさらに備え、
前記制御部は、前記第１期間を構成する単位期間に前記表示部から出力可能な青色光の最大出力量に対する、所定の画像データに基づいて、前記単位期間に前記表示部から出力される青色光の出力量の割合と、前記単位期間に前記光源部から出力可能な光の最大出力量に対する、前記光源部の所定の設定に基づいて、前記単位期間に前記光源部から出力される光の出力量の割合とに基づいて、前記表示部からの青色光の出力を低下させる制御を行うように構成されている、請求項１または２に記載の表示装置。
【請求項４】
前記制御部は、前記表示部から出力される赤色光および緑色光の出力を維持しながら、前記表示部から出力される青色光の出力を低下させる制御を行うように構成されている、請求項１〜３のいずれか１項に記載の表示装置。
【請求項５】
前記制御部は、前記第１期間における青色光の前記累積値に基づいて、前記表示部からの青色光の出力を低下させる制御に加えて、第２期間にわたって継続して前記画像が前記表示部に表示されたこと、現在時刻が所定の時間帯であること、前記表示部を見ているユーザが一定の年齢以下であること、および、前記表示部の周囲の照度が所定の明るさ以下であることのうちの少なくとも１つに基づいて、青色光の出力をさらに低下させる制御を行うように構成されている、請求項１〜４のいずれか１項に記載の表示装置。
【請求項６】
前記表示部が設置された室内の照明装置から出力される光の色を暖色系に変化させるための信号を前記照明装置に送信する送信部をさらに備え、
前記制御部は、前記表示部からの青色光の出力を低下させる制御を行う場合には、前記送信部から前記信号を出力させる制御を行うように構成されている、請求項１〜５のいずれか１項に記載の表示装置。
【請求項７】
前記制御部は、前記第１期間にわたって、前記表示部から順次出力される青色光の出力量の前記累積値を取得し、取得した前記累積値に応じて、前記表示部に表示される前記画像が補色により表示されるように切り替えることによって、前記表示部からの青色光の出力を低下させる制御を行うように構成されている、請求項１〜６のいずれか１項に記載の表示装置。
【請求項８】
前記制御部は、前記表示部から青色光を出力させるために前記表示部に送信する信号の大きさが所定値以上となる場合に、前記表示部からの青色光の出力に対して、青色光の出力を低下させる所定の比例定数を乗じる制御を行うように構成されている、請求項１〜７のいずれか１項に記載の表示装置。
【発明の詳細な説明】
【技術分野】
【０００１】
この発明は、表示装置に関し、特に、表示部からの光の出力を制御可能な表示装置に関する。
【背景技術】
【０００２】
従来、表示部からの光の出力を制御可能な表示装置が知られている（たとえば、特許文献１参照）。
【０００３】
上記特許文献１には、画像を表示する表示部と、表示部からの青色光の出力を低下させる制御を行う制御部とを備えた表示装置が開示されている。制御部は、画像の視聴開始からの経過時間に応じて、徐々に（一定の割合ずつ）青色光の出力を低下させる制御を行うように構成されている。その結果、表示装置は、ユーザ（視聴者）の目に向けて出力される青色光の量を減少させられるため、ユーザの目の疲労度を軽減することが可能なように構成されている。なお、青色光の出力を低下させると、画像のホワイトバランスが変化してしまう。このため、表示部から出力される青色光の出力が、目の疲労度に影響を与えない程度の小さな出力であるならば、青色光の出力を低下させない方がよい。
【先行技術文献】
【特許文献】
【０００４】
【特許文献１】特開２０１３−２５７４５７号公報
【発明の概要】
【発明が解決しようとする課題】
【０００５】
しかしながら、上記特許文献１では、画像の視聴開始からの経過時間に応じて、表示部からの青色光の出力を一定の割合ずつ低下させるため、青色光の出力が小さな画像を継続して視聴している場合においても、一律に、青色光の出力を低下させることになる。すなわち、ユーザ（視聴者）の目の疲労度に影響を与えないような青色光の小さな出力が継続している場合においても、一律に、青色光の出力を低下させてしまうという不都合がある。その結果、画像のホワイトバランスが不必要に変化してしまうという問題点がある。
【０００６】
この発明は、上記のような課題を解決するためになされたものであり、この発明の１つの目的は、画像のホワイトバランスが不必要に変化するのを抑制しつつ、表示部からの青色光の出力を適切に低下させることによりユーザの目の疲労度を軽減することが可能な表示装置を提供することである。
【課題を解決するための手段】
【０００７】
この発明の一の局面による表示装置は、画像を表示する表示部と、表示部において画像が継続して表示される第１期間にわたって、表示部から順次出力される青色光の出力量の累積値を取得し、取得した累積値に応じて、表示部からの青色光の出力を低下させる制御を行う制御部とを備える。
【０００８】
この発明の一の局面による表示装置では、上記のように、制御部により、表示部において画像が継続して表示される第１期間にわたって、表示部から順次出力される青色光の出力量の累積値を取得し、取得した累積値に応じて、表示部からの青色光の出力を低下させる。これにより、表示部からの青色光の出力の累積値が大きい場合には、青色光の出力を大きく低下させ、表示部からの青色光の出力の累積値が小さい場合には、青色光の出力を小さく低下させる（または低下させない）ことができる。すなわち、青色光の出力を低下させる必要のない、青色光の出力の累積値が小さい場合に、ホワイトバランスを維持することができる。したがって、画像のホワイトバランスが不必要に変化するのを抑制しつつ、表示部からの青色光の出力を適切に低下させてユーザの目の疲労度を軽減することができる。
【０００９】
上記一の局面による表示装置において、好ましくは、制御部は、表示部から出力可能な青色光の最大出力量が第１期間連続する場合の最大累積値に対する、第１期間における表示部からの青色光の出力量の累積値の割合に応じて、表示部から出力される青色光の出力を低下させる制御を行うように構成されている。このように構成すれば、青色光の最大出力量を考慮した、第１期間における表示部からの青色光の出力量の累積値の割合に応じて、表示部から出力される青色光の出力を低下させるので、青色光の出力量を適切に評価することができる。その結果、青色光の出力量をより適切に見積もることができる。
【００１０】
上記一の局面による表示装置において、好ましくは、表示部に光を照射する光源部をさらに備え、制御部は、第１期間を構成する単位期間に表示部から出力可能な青色光の最大出力量に対する、所定の画像データに基づいて、単位期間に表示部から出力される青色光の出力量の割合と、単位期間に光源部から出力可能な光の最大出力量に対する、光源部の所定の設定に基づいて、単位期間に光源部から出力される光の出力量の割合とに基づいて、表示部からの青色光の出力を低下させる制御を行うように構成されている。このように構成すれば、別個に青色光の出力を測定する光センサを設けることなく、表示部における青色光の最大出力量に対する、青色光の出力量の割合と、光源部における光の最大出力量に対する、光の出力量の割合とに基づいて、容易に青色光の出力を見積もることができる。
【００１１】
上記一の局面による表示装置において、好ましくは、制御部は、表示部から出力される赤色光および緑色光の出力を維持しながら、表示部から出力される青色光の出力を低下させる制御を行うように構成されている。このように構成すれば、表示部からの赤色光、緑色光および青色光の出力すべてを低下させる場合と異なり、全体の明るさが低下することを抑制しながら、青色光によるユーザの目の疲労度を軽減することができる。
【００１２】
上記一の局面による表示装置において、好ましくは、制御部は、第１期間における青色光の累積値に基づいて、表示部からの青色光の出力を低下させる制御に加えて、第２期間にわたって継続して画像が表示部に表示されたこと、現在時刻が所定の時間帯であること、表示部を見ているユーザが一定の年齢以下であること、および、表示部の周囲の照度が所定の明るさ以下であることのうちの少なくとも１つに基づいて、青色光の出力をさらに低下させる制御を行うように構成されている。このように構成すれば、第２期間にわたって継続して画像が表示部に表示されたことに基づく場合には、長時間の継続視聴による青色光の影響を抑制することができる。その結果、ユーザの目の疲労度をより軽減することができる。また、現在時刻が所定の時間帯であることに基づく場合には、青色光の影響によりユーザ（視聴者）の生体リズムが崩れる（たとえば、就寝時に眠りに就きにくくなる）のを抑制することができる。また、表示部を見ているユーザが一定の年齢以下であることに基づく場合には、青色光の影響を受けやすい低年齢のユーザ（視聴者）に大きな出力の青色光が照射されることを抑制することができる。その結果、低年齢ユーザ（視聴者）の目の疲労度をより軽減することができる。また、表示部の周囲の照度が所定の明るさ以下であることに基づく場合には、ユーザ（視聴者）の生活リズムに合わせて、ユーザ（視聴者）の目の疲労度を軽減することができる。
【００１３】
上記一の局面による表示装置において、好ましくは、表示部が設置された室内の照明装置から出力される光の色を暖色系に変化させるための信号を照明装置に送信する送信部をさらに備え、制御部は、表示部からの青色光の出力を低下させる制御を行う場合には、送信部から信号を出力させる制御を行うように構成されている。このように構成すれば、照明装置からの光を、青色と補色の関係にある暖色系に変化させることにより、青色の表示を強調することができるので、青色光の出力が低下された表示部に対するユーザ（視聴者）の違和感を抑制することができる。
【００１４】
上記一の局面による表示装置において、好ましくは、制御部は、第１期間にわたって、表示部から順次出力される青色光の出力量の累積値を取得し、取得した累積値に応じて、表示部に表示される画像が補色により表示されるように切り替えることによって、表示部からの青色光の出力を低下させる制御を行うように構成されている。このように構成すれば、直接的に青色光を低下させるのではなく、表示部に表示される画像が補色により表示されるように切り替えること（いわゆる、ネガポジ反転）により、青色光の出力を低下させることができるので、青色光の出力の低下を、ネガポジ反転という簡易な処理で行うことができる。
【００１５】
上記一の局面による表示装置において、好ましくは、制御部は、表示部から青色光を出力させるために表示部に送信する信号の大きさが所定値以上となる場合に、表示部からの青色光の出力に対して、青色光の出力を低下させる所定の比例定数を乗じる制御を行うように構成されている。このように構成すれば、所定値を境に表示部からの青色光の出力特性を変化させることができるので、低階調側（表示部に送信される信号が比較的小さい側）のホワイトバランスを維持しつつ、ユーザの目の疲労度に影響が大きい高階調側（表示部に送信される信号が比較的大きい側）の青色光の出力を抑制することができる。
【発明の効果】
【００１６】
本発明によれば、上記のように、画像のホワイトバランスが不必要に変化するのを抑制しつつ、表示部からの青色光の出力を適切に低下させることによりユーザの目の疲労度を軽減することが可能な表示装置を提供することができる。
【図面の簡単な説明】
【００１７】
【図１】本発明の第１〜第５および第９実施形態による液晶テレビジョン装置の全体構成を示すブロック図である。
【図２】本発明の第１実施形態による液晶テレビジョン装置の液晶パネルにおける青色光の入力と出力との関係を示した図である。
【図３】本発明の第１実施形態による液晶テレビジョン装置の液晶パネルの青色光の出力を低下させる制御処理フローを説明するためのフローチャートである。
【図４】図３において示したフローチャートのポイント取得およびポイント累積処理の詳細を示すサブルーチンを説明するための図である。
【図５】図３において示したフローチャートの青色光出力の設定処理の詳細を示すサブルーチンを説明するための図である。
【図６】本発明の第２実施形態による液晶テレビジョン装置の液晶パネルの青色光の出力を低下させる制御処理フローを説明するためのフローチャートである。
【図７】図６において示したフローチャートの青色光出力の設定処理の詳細を示すサブルーチンを説明するための図である。
【図８】本発明の第３実施形態による液晶テレビジョン装置の液晶パネルにおける青色光の入力と出力との関係を示した図である。
【図９】本発明の第４実施形態による液晶テレビジョン装置の液晶パネルの青色光の出力を低下させる制御処理フローを説明するためのフローチャートである。
【図１０】本発明の第５実施形態による液晶テレビジョン装置の液晶パネルの青色光の出力を低下させる制御処理フローを説明するためのフローチャートである。
【図１１】本発明の第６実施形態による液晶テレビジョン装置の全体構成を示すブロック図である。
【図１２】本発明の第６実施形態による液晶テレビジョン装置の液晶パネルの青色光の出力を低下させる制御処理フローを説明するためのフローチャートである。
【図１３】本発明の第７実施形態による液晶テレビジョン装置の全体構成を示すブロック図である。
【図１４】本発明の第７実施形態による液晶テレビジョン装置の液晶パネルの青色光の出力を低下させる制御処理フローを説明するためのフローチャートである。
【図１５】本発明の第８実施形態による液晶テレビジョン装置の全体構成および照明装置を示すブロック図である。
【図１６】本発明の第９実施形態による液晶テレビジョン装置の液晶パネルの青色光の出力を低下させる制御処理フローを説明するためのフローチャートである。
【発明を実施するための形態】
【００１８】
以下、本発明の実施形態を図面に基づいて説明する。
【００１９】
（第１実施形態）
図１〜図５を参照して、本発明の第１実施形態による液晶テレビジョン装置１０の構成について説明する。なお、液晶テレビジョン装置１０は、本発明の「表示装置」の一例である。
【００２０】
本発明の第１実施形態による液晶テレビジョン装置１０は、図１に示すように、液晶パネル１と、バックライト２と、入力操作部３と、記憶部４と、制御部５とを備えている。なお、液晶パネル１は、本発明の「表示部」の一例である。また、バックライト２は、本発明の「光源部」の一例である。
【００２１】
ここで、第１実施形態では、液晶テレビジョン装置１０は、制御部５による制御の下、第１期間（液晶パネル１から画像が継続して表示される期間）にわたって、液晶パネル１から順次出力される青色光の出力量の累積値（累積ポイント）を取得するように構成されている。また、液晶テレビジョン装置１０は、制御部５による制御の下、取得した累積値（累積ポイント）に応じて、液晶パネル１からの青色光の出力を低下させるように構成されている。詳細については後述する。なお、第１期間は、液晶テレビジョン装置１０の視聴開始時点（液晶パネル１に画像が表示された時点）から計測が開始される。
【００２２】
なお、液晶パネル１から出力される青色光は、４００ｎｍから５００ｎｍ程度と、可視光の中では短い波長を有している。また、青色光は、可視光線の中では光エネルギーが高いため、目の疲労度に影響を及ぼしやすいと考えられている。また、青色光は、ユーザ（視聴者）に対して身体をリラックスさせる脳内物質であるメラトニンの分泌抑制効果があると考えられるため、人間の生体リズムを崩してしまう効果があると考えられている。
【００２３】
次に、液晶テレビジョン装置１０の各部の構成について説明する。
【００２４】
液晶パネル１は、画像を表示可能に構成されている。また、液晶パネル１は、複数の画素（図示せず）を含み、各画素に電圧が印加されることにより、バックライト２から照射される光の透過率を調整して所望の色を各画素に表示するように構成されている。
【００２５】
詳細には、液晶パネル１は、各画素に、赤色（Ｒ）、緑色（Ｇ）および青色（Ｂ）のカラーフィルター（図示せず）をそれぞれ有している。また、液晶パネル１は、各色のカラーフィルターを透過する光の量をそれぞれ調整することにより、所望の色で各画素を表示するように構成されている。
【００２６】
また、液晶パネル１は、各画素のそれぞれの色に、８ビットの画像情報を有している。すなわち、液晶パネル１は、ＲＧＢの各色に対して、０から２５５までの２５６階調（階調の値が大きいほど明るい）を有している。また、液晶パネル１は、階調が指定されたＲＧＢ各色の組み合わせにより、各画素を形成するように構成されている。
【００２７】
また、液晶パネル１は、所定の画像データに基づく制御部５による制御の下、各画素の各色の階調が決定（２５６階調のうちの１つを選択）されるように構成されている。すなわち、液晶パネル１は、制御部５からの所定の階調信号（図２参照）を受信することにより、各画素の各色の階調が決定されるように構成されている。また、液晶パネル１は、制御部５から受信する所定の階調信号（図２参照）の大きさに比例して、各色の階調（明るさ）が決定されるように構成されている。なお、階調信号は、本発明の「表示部に送信される信号」の一例である。
【００２８】
バックライト２は、液晶パネル１の背面側（視聴側とは反対側）に配置されている。また、バックライト２は、背面側から液晶パネル１（各画素）に向けて、光を照射するように構成されている。
【００２９】
入力操作部３は、液晶テレビジョン装置１０から出力される青色光の出力の下限値の設定入力を受付可能に構成されている。設定された下限値は、常時、変更可能である。なお、下限値の変更時点で、変更された下限値が青色光の出力を上回っている場合には、制御部５により変更された下限値まで青色光の出力が上昇される。
【００３０】
記憶部４は、入力操作部３を介して入力された下限値などの所定の情報を記憶するように構成されている。
【００３１】
制御部５は、液晶パネル１に対して階調信号（図２参照）を送信することにより、液晶パネル１から所定の階調の青色光を出力させるように構成されている。
【００３２】
上記の通り、制御部５は、液晶テレビジョン装置１０の視聴が開始されてからの第１期間（たとえば、３６００秒）にわたって、液晶パネル１から出力される青色光の出力量の累積値（累積ポイント）を取得する制御を行うように構成されている。また、制御部５は、取得した累積値（累積ポイント）に応じて、液晶パネル１からの青色光の出力を低下させる制御を行うように構成されている。
【００３３】
この際、制御部５は、液晶パネル１から出力される赤色光および緑色光の出力を維持しながら、液晶パネル１から出力される青色光の出力を低下させる制御を行うように構成されている。なお、第１期間の計測が完了した場合（たとえば、３６００秒経過した場合）には、第１期間は、リセットされて、再び、第１期間の計測が開始される。
【００３４】
ここで、累積値（累積ポイント）を取得する制御部５の構成について詳細に説明する。
【００３５】
制御部５は、第１期間を構成する単位期間に液晶パネル１から出力可能な青色光の最大出力量（Ｌｍ）に対する、単位期間に液晶パネル１から出力される青色光の出力量（Ｌｘ）の割合と、単位期間にバックライト２から出力可能な光の最大出力量（Ｂｍ）に対する、単位期間にバックライト２から出力される光の出力量（Ｂｘ）の割合とに基づいて、液晶パネル１からの青色光の出力を低下させる制御を行うように構成されている。以下、詳細について説明する。なお、単位期間とは、１フレームを表示するのに要する期間（時間）を意味する。また、複数の単位期間により第１期間が構成される。たとえば、フレームの表示速度が２（フレーム／秒）である場合には、単位時間は０．５秒となる。
【００３６】
上記説明した割合（Ｌｘ／Ｌｍ）と、割合（Ｂｘ／Ｂｍ）とを掛け合わせることにより、単位期間において、液晶テレビジョン装置１０から出力される青色光の出力量の割合（Ｕｘ）が算出される。以下に、青色光の出力量の割合（Ｕｘ）を算出するための式（１）を示す。
【００３７】
青色光の出力量の割合（Ｕｘ）＝（Ｌｘ／Ｌｍ）×（Ｂｘ／Ｂｍ）
【００３８】
要するに、最大出力量（Ｌｍ）に対する出力量（Ｌｘ）の割合（Ｌｘ／Ｌｍ）とは、１フレームにおける平均の階調が２５６階調の中でどの程度であるかを示している。なお、単位期間に液晶パネル１から出力される青色光の出力量（Ｌｘ）は、外部から制御部５に入力される画像データに基づいて決定される。
【００３９】
たとえば、１フレームが４画素で形成されているとする。また、４画素の青色光の階調が、それぞれ、２１０、１９０、２１０および１９０であったとする。この場合には、液晶パネル１から出力される青色光の出力量（Ｌｘ）は、２００となる。そのため、（Ｌｘ／Ｌｍ）は、２００／２５６となる。
【００４０】
また、最大出力量（Ｂｍ）に対する出力量（Ｂｘ）の割合とは、バックライトデューティのことである。バックライトデューディとは、光の強度を示す指標であり、バックライト２に駆動電流が流されている期間と駆動電流が流されていない期間との和に対する、バックライト２に駆動電流が流されている期間の割合、および、バックライト２に供給される駆動電流の大きさに基づいて決定される指標である。つまり、本発明でのバックライトデューディとは、バックライト２が、最大出力パワーに対してどれぐらいの割合の出力パワーで光を出力しているのかを示す指標である。なお、単位期間にバックライト２から出力される光の出力量（Ｂｘ）は、ユーザなどによる所定の設定に基づいて決定される。
【００４１】
また、制御部５は、１フレームにおける出力量の割合（Ｕｘ）を４段階（０、１、２および３）のポイント（Ｐ１ｘ）のいずれかに換算し、換算したポイントを第１期間にわたって累積することにより、累積ポイント（Ｐ２ｘ）を取得する制御を行うように構成されている。
【００４２】
また、制御部５は、青色光の出力量の割合（Ｕｘ）を４段階のポイント（Ｐ１ｘ）に換算することを、出力量の割合（Ｕｘ）の最大値（Ｕｍ）との比較により行うように構成されている。
【００４３】
詳細には、制御部５は、（Ｕｘ／Ｕｍ）が、０．２５未満となる場合には０ポイントに換算し、０．２５以上０．５０未満となる場合には１ポイントに換算し、０．５０以上０．７５未満となる場合には２ポイントに換算し、０．７５以上となる場合には３ポイントに換算するように構成されている。
【００４４】
また、制御部５は、第１期間にわたって（繰り返し継続して）換算されたポイント（Ｐ１ｘ）を、累積するように構成されている。たとえば、第１期間において、液晶パネル１に７２００フレームの画像が表示される場合（第１期間を３６００秒とし、フレームの表示速度を２（フレーム／秒）とした場合）には、制御部５は、７２００回分のポイント（Ｐ１ｘ）を取得して、取得した７２００回分のポイント（Ｐ１ｘ）を累積することにより、累積ポイント（Ｐ２ｘ）を取得するように構成されている。
【００４５】
また、制御部５は、液晶パネル１から出力可能な青色光の最大出力量が第１期間連続する場合の最大累積値（最大累積ポイント（Ｐｍ））に対する、第１期間における液晶パネル１からの青色光の出力量の累積値（累積ポイント（Ｐ２ｘ））の割合に応じて、液晶パネル１から出力される青色光の出力を低下させる制御を行うように構成されている。
【００４６】
詳細には、制御部５は、第１期間で取得可能な最大累積ポイントを（Ｐｍ）とすると、（Ｐ２ｘ／Ｐｍ）が、０．２５未満となる場合には青色光の出力を低下させることはなく、０．２５以上０．５０未満となる場合には青色光の出力を２０％低下させ、０．５０以上０．７５未満となる場合には青色光の出力を３０％低下させ、０．７５以上となる場合には青色光の出力を４０％低下させるように構成されている。
【００４７】
なお、制御部５は、青色光の出力を瞬時に設定値まで低下させるのではなく、所定の時間（たとえば、１０％低下させるのであれば２０秒）を掛けて青色光の出力を一定の割合ずつ（一次関数的に）徐々に低下させるように構成されている。
【００４８】
次に、図１および図３〜図５を参照して、制御部５による青色光の出力を低下させる制御処理フローについて説明する。
【００４９】
まず、図３のステップＳ１において、制御部５により、第１期間の計測が開始される。すなわち、液晶テレビジョン装置１０の視聴が開始されるタイミングで、第１期間の計測が開始される。
【００５０】
そして、ステップＳ２において、制御部５により、入力操作部３を介して液晶パネル１から出力される青色光の階調の下限値、または、記憶部４から読み出される液晶パネル１から出力される青色光の階調の下限値が設定される。なお、設定された下限値は、ユーザの設定により、常時変更可能である。
【００５１】
そして、ステップＳ３において、制御部５により、累積値（累積ポイント）が０に設定（リセット）される。
【００５２】
そして、ステップＳ４において、制御部５により、単位期間が経過したか否かが判断される。すなわち、制御部５により、液晶パネル１に１フレームの画像が表示されたか否かが判断される。単位期間が経過していない場合には、経過するまでステップＳ４が繰り返される。また、単位期間が経過している場合には、ステップ５に進む。
【００５３】
そして、ステップＳ５において、制御部５により、単位期間（１フレームを表示するのに要する期間）における青色光の出力量の割合（Ｕｘ）に基づいて、所定のポイント（Ｐ１ｘ）が取得されるとともに、既に取得済みのポイント（Ｐ１ｘ）がある場合には、取得済みのポイントに、新たに取得されたポイント（Ｐ１ｘ）が累積される。そして、処理がステップＳ６に進む。
【００５４】
ここで、ステップＳ６に進む前に、図４を参照して、ステップＳ５の詳細（サブルーチン）について説明する。
【００５５】
まず、ステップＳ５ａにおいて、制御部５により、青色光の出力量の割合（Ｕｘ）が０．２５未満であるか否かが判断される。（Ｕｘ）が０．２５未満である場合には、処理がステップＳ５ｂに進み、制御部５は、０ポイントを取得し、累積する。また、（Ｕｘ）が０．２５以上である場合には、処理がステップＳ５ｃに進む。
【００５６】
そして、ステップＳ５ｃにおいて、制御部５により、青色光の出力量の割合（Ｕｘ）が０．２５以上０．５０未満であるか否かが判断される。（Ｕｘ）が０．２５以上０．５０未満である場合には、処理がステップＳ５ｄに進み、制御部５は、１ポイントを取得し、累積する。また、（Ｕｘ）が０．５０以上である場合には、処理がステップＳ５ｅに進む。
【００５７】
そして、ステップＳ５ｅにおいて、制御部５により、青色光の出力量の割合（Ｕｘ）が０．５０以上０．７５未満であるか否かが判断される。（Ｕｘ）が０．５０以上０．７５未満である場合には、処理がステップＳ５ｆに進み、制御部５は、２ポイントを取得し、累積する。また、（Ｕｘ）が０．７５以上である場合には、処理がステップＳ５ｇに進み、制御部５は、３ポイントを取得し、累積する。
【００５８】
そして、ステップＳ５ｂ、Ｓ５ｄ、Ｓ５ｆおよびＳ５ｇのいずれかにおいてポイントを取得し、累積した場合には、処理がステップＳ６に進む。
【００５９】
そして、ステップＳ６において、制御部５により、第１期間（たとえば、３６００秒）が経過したか否かが判断される。すなわち、制御部５により、第１期間継続して取得されたポイント（Ｐ１ｘ）の累積が行われた否かが判断される。すなわち、制御部５により、第１期間にわたって累積ポイント（Ｐ２ｘ）が取得されたか否かが判断される。累積ポイント（Ｐ２ｘ）が取得されていない場合には、処理がステップＳ４に戻る。また、累積ポイント（Ｐ２ｘ）が取得されている場合には、処理がステップＳ７に進む。
【００６０】
そして、ステップＳ７において、制御部５により、累積ポイント（Ｐ２ｘ）に基づいて青色光の出力の設定（出力の低下）が行なわれる。そして、処理がステップＳ８に進む。
【００６１】
ここで、ステップＳ８に進む前に、図５を参照して、ステップＳ７の詳細（サブルーチン）について説明する。
【００６２】
まず、ステップＳ７ａにおいて、制御部５により、最大累積ポイント(Ｐｍ)に対する累積ポイント(Ｐ２ｘ)の割合（Ｐ２ｘ／Ｐｍ）が０．２５未満であるか否かが判断される。（Ｐ２ｘ／Ｐｍ）が０．２５未満である場合には、処理がステップＳ７ｂに進み、制御部５が、青色光の出力を１００％に設定する。すなわち、制御部５が、現在の設定を維持する。また、（Ｐ２ｘ／Ｐｍ）が０．２５以上である場合には、処理がステップＳ７ｃに進む。
【００６３】
そして、ステップＳ７ｃにおいて、制御部５により、青色光の出力量の割合（Ｐ２ｘ／Ｐｍ）が０．２５以上０．５０未満であるか否かが判断される。（Ｐ２ｘ／Ｐｍ）が０．２５以上０．５０未満である場合には、処理がステップＳ７ｄに進み、制御部５が、青色光の出力を８０％に設定する。すなわち、制御部５が、青色光の出力を２０％低下させる。また、（Ｐ２ｘ／Ｐｍ）が０．５０以上である場合には、処理がステップＳ７ｅに進む。
【００６４】
そして、ステップＳ７ｅにおいて、制御部５により、青色光の出力量の割合（Ｐ２ｘ／Ｐｍ）が０．５０以上０．７５未満であるか否かが判断される。（Ｐ２ｘ／Ｐｍ）が０．５０以上０．７５未満である場合には、処理がステップＳ７ｆに進み、制御部５が、青色光の出力を７０％に設定する。すなわち、制御部５が、青色光の出力を３０％低下させる。また、（Ｐ２ｘ／Ｐｍ）が０．７５以上である場合には、処理がステップＳ７ｇに進み、制御部５が、青色光の出力を６０％に設定する。すなわち、制御部５が、青色光の出力を４０％低下させる。
【００６５】
なお、青色光の出力の設定がなされた場合（現在の設定を維持する場合を除く）には、制御部５により、青色光の出力が所定の時間を掛けて一定の割合ずつ一次関数的に徐々に低下される。また、下限値（たとえば、９０％）が設定値（６０％、７０％および８０％）よりも大きく設定されている場合には、制御部５は、青色光の出力を設定値まで低下させることはなく、下限値（９０％）まで青色光の出力を低下させる。
【００６６】
そして、ステップＳ７ｂ、Ｓ７ｄ、Ｓ７ｆおよびＳ７ｇのいずれかにおいて、青色光の出力が設定された場合には、処理がステップＳ８に進む。
【００６７】
そして、ステップＳ８において、制御部５により第１期間がリセットされ、第１期間の計測が再び開始される。そして、処理がステップＳ３に戻る。
【００６８】
第１実施形態では、以下のような効果を得ることができる。
【００６９】
第１実施形態では、上記のように、制御部５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、液晶パネル１からの青色光の出力の累積値が大きい場合には、青色光の出力を大きく低下させ、液晶パネル１からの青色光の出力の累積値が小さい場合には、青色光の出力を小さく低下させる（または低下させない）ことができる。すなわち、青色光の出力を低下させる必要のない、青色光の出力の累積値が小さい場合に、ホワイトバランスを維持することができる。したがって、画像のホワイトバランスが不必要に変化するのを抑制しつつ、液晶パネル１からの青色光の出力を適切に低下させてユーザの目の疲労度を軽減することができる。
【００７０】
また、第１実施形態では、上記のように、制御部５を、液晶パネル１から出力可能な青色光の最大出力量が第１期間連続する場合の最大累積値に対する、第１期間における液晶パネル１からの青色光の出力量の累積値の割合に応じて、液晶パネル１から出力される青色光の出力を低下させる制御を行うように構成する。これにより、青色光の最大出力量を考慮した、第１期間における液晶パネル１からの青色光の出力量の累積値の割合に応じて、液晶パネル１から出力される青色光の出力を低下させるので、青色光の出力量を適切に評価することができる。その結果、青色光の出力量をより適切に見積もることができる。
【００７１】
また、第１実施形態では、上記のように、液晶パネル１に光を照射するバックライト２をさらに備え、制御部５を、第１期間を構成する単位期間に液晶パネル１から出力可能な青色光の最大出力量に対する、所定の画像データに基づいて、単位期間に液晶パネル１から出力される青色光の出力量の割合と、単位期間にバックライト２から出力可能な光の最大出力量に対する、バックライト２の所定の設定に基づいて、単位期間にバックライト２から出力される光の出力量の割合とに基づいて、液晶パネル１からの青色光の出力を低下させる制御を行うように構成する。これにより、別個に青色光の出力を測定する光センサを設けることなく、液晶パネル１における青色光の最大出力量に対する、青色光の出力量の割合と、バックライト２における光の最大出力量に対する、光の出力量の割合とに基づいて、容易に青色光の出力を見積もることができる。
【００７２】
また、第１実施形態では、上記のように、制御部５を、液晶パネル１から出力される赤色光および緑色光の出力を維持しながら、液晶パネル１から出力される青色光の出力を低下させる制御を行うように構成する。これにより、液晶パネル１からの赤色光、緑色光および青色光の出力すべてを低下させる場合と異なり、全体の明るさが低下することを抑制しながら、青色光によるユーザの目の疲労度を軽減することができる。
【００７３】
（第２実施形態）
次に、図１、図６および図７を参照して、第２実施形態について説明する。この第２実施形態では、青色光の出力量の割合（Ｕｘ）を４段階のポイントに換算することによりポイント（Ｐ１ｘ）を取得し、取得したポイント（Ｐ１ｘ）を累積するとともに、累積ポイント（Ｐ２ｘ）に応じて、青色光の出力を低下させた上記第１実施形態と異なり、青色光の出力量の割合（Ｕｘ）を取得し、取得した出力量の割合（Ｕｘ）を累積するとともに、累積値（Ｕ２ｘ）に応じて、青色光の出力を低下させる例について説明する。なお、上記第１実施形態と同様の構成は、第１実施形態と同じ符号を付して図示するとともに説明を省略する。また、液晶テレビジョン装置２０は、本発明の「表示装置」の一例である。
【００７４】
図１に示すように、第２実施形態による液晶テレビジョン装置２０では、制御部２５は、第１期間にわたって、液晶パネル１から出力される青色光の出力量の累積値を取得する制御を行うように構成されている。また、制御部２５は、取得した累積値に応じて、液晶パネル１からの青色光の出力を低下させる制御を行うように構成されている。
【００７５】
また、制御部２５は、１フレームにおける出力量の割合（Ｕｘ）を第１期間にわたって累積することにより、累積値（Ｕ２ｘ）を取得する制御を行うように構成されている。
【００７６】
また、制御部２５は、液晶パネル１から出力可能な青色光の最大出力量が第１期間連続する場合の最大累積値（Ｕ２ｍ）に対する、第１期間における液晶パネル１からの青色光の出力量の累積値（Ｕ２ｘ）の割合（Ｕ２ｘ/Ｕ２ｍ）に応じて、液晶パネル１から出力される青色光の出力を低下させる制御を行うように構成されている。なお、（Ｕ２ｍ）は、上記第１実施形態において示した以下の式において、（Ｌｘ／Ｌｍ）＝１および（Ｂｘ／Ｂｍ）＝１となる場合の（Ｕｘ）を第１期間にわたって累積した値である。
【００７７】
青色光の出力量の割合（Ｕｘ）＝（Ｌｘ／Ｌｍ）×（Ｂｘ／Ｂｍ）
【００７８】
つまり、（Ｕ２ｍ）は、累積回数と等しい値となる。たとえば、第１期間に７２００フレームの画像が表示される場合には、（Ｕ２ｍ）＝７２００となる。
【００７９】
次に、図１、図６および図７を参照して、制御部２５による青色光を低下させる制御処理フローについて説明する。なお、以下の説明では、図３に示した上記第１実施形態における処理（ステップ）と同じ処理は、同一の番号を付して、原則として説明を省略する。
【００８０】
まず、図６のステップＳ２において、制御部２５により、ユーザの入力操作に基づいて青色光の階調の下限値が設定される。そして、ステップＳ２１において、制御部２５により、青色光の累積出力量（Ｕ２ｘ）が０に設定（リセット）される。
【００８１】
そして、ステップＳ４を経て、ステップＳ２２において、制御部２５により、単位期間（１フレームを表示するのに要する期間）における青色光の出力量の割合（Ｕｘ）が取得されるとともに、既に取得済みの出力量の割合（Ｕｘ）がある場合には、取得済みの出力量の割合（Ｕｘ）に、新たに取得された出力量の割合（Ｕｘ）が累積される。そして、処理がステップＳ６に進む。
【００８２】
そして、ステップＳ６において、制御部２５により、第１期間（たとえば、３６００秒）が経過したか否かが判断される。第１期間が経過していない場合には、処理がステップＳ４に戻る。また、第１期間が経過した場合には、処理がステップＳ２３に進む。
【００８３】
そして、ステップＳ２３において、制御部２５により、累積出力量（Ｕ２ｘ）に基づいて青色光の出力の設定（変更）（出力の低下）が行なわれる。そして、処理がステップＳ８に進む。
【００８４】
ここで、ステップＳ８に進む前に、図７を参照して、ステップＳ２３の詳細（サブルーチン）について説明する。
【００８５】
まず、ステップＳ２３ａにおいて、制御部２５により、青色光の最大累積値（Ｕ２ｍ）（＝１）に対する青色光の出力量の累積値（Ｕ２ｘ）の割合（Ｕ２ｘ/Ｕ２ｍ）が０．６０未満である場合には、処理がステップＳ２３ｂに進み、制御部５が、青色光の出力を１００％に設定する。すなわち、制御部５が、現在の設定を維持する。また、（Ｕ２ｘ/Ｕ２ｍ）が０．６０以上である場合には、処理がステップＳ２３ｃに進む。
【００８６】
そして、ステップＳ２３ｃにおいて、制御部２５により、青色光の出力量の割合（Ｕ２ｘ/Ｕ２ｍ）が０．６０以上０．７０未満であるか否かが判断される。（Ｕ２ｘ/Ｕ２ｍ）が０．６０以上０．７０未満である場合には、処理がステップＳ２３ｄに進み、制御部５が、青色光の出力を８０％に設定する。すなわち、制御部５が、青色光の出力を２０％低下させる。また、（Ｕ２ｘ/Ｕ２ｍ）が０．７０以上である場合には、処理がステップＳ２３ｅに進む。
【００８７】
そして、ステップＳ２３ｅにおいて、制御部２５により、青色光の出力量の割合（Ｕ２ｘ/Ｕ２ｍ）が０．７０以上０．８０未満であるか否かが判断される。（Ｕ２ｘ/Ｕ２ｍ）が０．７０以上０．８０未満である場合には、処理がステップＳ２３ｆに進み、制御部５が、青色光の出力を７０％に設定する。すなわち、制御部５が、青色光の出力を３０％低下させる。（Ｕ２ｘ/Ｕ２ｍ）が０．８０以上である場合には、処理がステップＳ２３ｇに進み、制御部５が、青色光の出力を６０％に設定する。すなわち、制御部５が、青色光の出力を４０％低下させる。
【００８８】
そして、ステップＳ２３ｂ、Ｓ２３ｄ、Ｓ２３ｆおよびＳ２３ｇのいずれかにおいて、青色光の出力が設定（変更）された場合には、処理がステップＳ８に進む。
【００８９】
そして、ステップＳ８において、制御部２５により第１期間がリセットされ、第１期間の計測が再び開始される。そして、処理がステップＳ２１に戻る。
【００９０】
第２実施形態では、以下のような効果を得ることができる。
【００９１】
第２実施形態では、上記第１実施形態と同様に、制御部２５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【００９２】
（第３実施形態）
次に、図１および図８を参照して、第３実施形態について説明する。この第３実施形態では、階調信号（入力）の増加に対して青色光の階調（出力）を常に一定の割合で増加させた上記第１実施形態と異なり、階調信号が所定値Ａ以上である場合において、階調信号（入力）の増加に対する青色光の階調（出力）の増加割合を変化させる（小さくする）例について説明する。なお、上記第１実施形態と同様の構成は、第１実施形態と同じ符号を付して図示するとともに説明を省略する。また、液晶テレビジョン装置３０は、本発明の「表示装置」の一例である。
【００９３】
図８に示すように、第３実施形態による液晶テレビジョン装置３０（図１参照）では、液晶パネル１（図１参照）は、制御部３５（図１参照）から受信する所定の階調信号の大きさに比例して、青色光の階調（明るさ）が決定されるように構成されている。
【００９４】
制御部３５は、所定値Ａ以下の階調信号を液晶パネル１に送信する場合においては、上記第１実施形態と同様の階調による青色光を出力させるように構成されている。また、制御部３５は、所定値Ａよりも大きい階調信号を液晶パネル１に送信する場合においては、上記第１実施形態よりも小さな階調による青色光を出力させるように構成されている。
【００９５】
すなわち、制御部３５は、所定値Ａよりも大きい階調信号が液晶パネル１に送信される場合と、所定値Ａ以下の階調信号が液晶パネル１に送信される場合とでは、異なる比例定数により、青色光の階調（出力）を取得している。たとえば、所定値Ａ以下での比例定数をｃ１とすると、所定値Ａ以上での比例定数は、ｃ１よりも小さい値のｃ２となる。また、制御部３５は、青色光の出力を低下させた場合においても、同様に所定値Ａを境に比例定数を変更する制御を行うように構成されている。
【００９６】
第３実施形態では、以下のような効果を得ることができる。
【００９７】
第３実施形態では、上記第１実施形態と同様に、制御部３５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【００９８】
また、第３実施形態では、上記のように、制御部３５を、液晶パネル１から青色光を出力させるために液晶パネル１に送信する階調信号の大きさが所定値Ａ以上となる場合に、液晶パネル１からの青色光の出力に対して、青色光の出力を低下させる所定の比例定数を乗じる制御を行うように構成する。これにより、所定値Ａを境に液晶パネル１からの青色光の出力特性を変化させることができるので、低階調側（液晶パネル１に送信される階調信号が比較的小さい側）のホワイトバランスを維持しつつ、ユーザの目の疲労度に影響が大きい高階調側（液晶パネル１に送信される階調信号が比較的大きい側）の青色光の出力を抑制することができる。
【００９９】
（第４実施形態）
次に、図１および図９を参照して、第４実施形態について説明する。この第４実施形態では、上記第１実施形態において行われた制御に加えて、第２期間にわたって継続して画像が液晶パネル１に表示されたことに応じて、青色光の出力を低下させる制御を行う例について説明する。なお、上記第１実施形態と同様の構成は、第１実施形態と同じ符号を付して図示するとともに説明を省略する。また、液晶テレビジョン装置４０は、本発明の「表示装置」の一例である。
【０１００】
図１に示すように、第４実施形態による液晶テレビジョン装置４０では、制御部４５は、第１期間にわたって、液晶パネル１から出力される青色光の出力量の累積値（累積ポイント）を取得する制御を行うように構成されている。また、制御部４５は、取得した累積値（累積ポイント）に基づいて、液晶パネル１からの青色光の出力を低下させる制御を行うように構成されている。
【０１０１】
ここで、第４実施形態では、制御部４５は、第１期間における青色光の累積値（累積ポイント）に基づいて、液晶パネル１からの青色光の出力を低下させる上記制御に加えて、第２期間にわたって継続して画像が表示されたことに基づいて、青色光の出力をさらに所定割合だけ低下させる制御を行うように構成されている。一例として、制御部４５は、第２期間の０．５時間を経過したら一律に５％の青色光の出力を低下させるように構成されている。
【０１０２】
次に、図１および図９を参照して、制御部４５による青色光を低下させる制御処理フローについて説明する。なお、以下の説明では、図３に示した上記第１実施形態における処理（ステップ）と同じ処理は、同一の番号を付して、原則として説明を省略する。
【０１０３】
まず、図９のステップＳ４１において、制御部４５により、第１期間および第２期間の計測が開始される。すなわち、液晶テレビジョン装置４０の視聴が開始されるタイミングで、第１期間および第２期間の計測が開始される。そして、ステップＳ２〜Ｓ５を経て、処理がステップＳ４２に進む。
【０１０４】
そして、ステップＳ４２において、制御部４５により、第２期間が経過したか否かが判断される。第２期間が経過していない場合には、処理がステップＳ６に進む。また、第２期間が経過している場合には、処理がステップＳ４３に進む。
【０１０５】
そして、ステップＳ４３において、制御部４５により、青色光の出力が所定割合（たとえば５％）低下される。そして、ステップＳ４４において、制御部４５により、第２期間がリセットされ、第２期間の計測が再び開始される。そして、処理がステップＳ６に進む。
【０１０６】
第４実施形態では、以下のような効果を得ることができる。
【０１０７】
第４実施形態では、上記第１実施形態と同様に、制御部４５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１０８】
また、第４実施形態では、上記のように、制御部４５を、第１期間における青色光の累積値に基づいて、液晶パネル１からの青色光の出力を低下させる制御に加えて、第２期間にわたって継続して画像が液晶パネル１に表示されたことに基づいて、青色光の出力をさらに低下させる制御を行うように構成する。これにより、第２期間にわたって継続して画像が液晶パネル１に表示されたことに基づく場合には、長時間の継続視聴による青色光の影響を抑制することができる。
【０１０９】
（第５実施形態）
次に、図１および図１０を参照して、第５実施形態について説明する。この第５実施形態では、上記第１実施形態において行われた制御に加えて、現在時刻が所定の時間帯であることに基づいて、青色光の出力を低下させる制御を行う例について説明する。なお、上記第１実施形態と同様の構成は、第１実施形態と同じ符号を付して図示するとともに説明を省略する。また、液晶テレビジョン装置５０は、本発明の「表示装置」の一例である。
【０１１０】
図１に示すように、第５実施形態による液晶テレビジョン装置５０では、制御部５５は、第１期間にわたって、液晶パネル１から出力される青色光の出力量の累積値（累積ポイント）を取得する制御を行うように構成されている。また、制御部５５は、取得した累積値（累積ポイント）に基づいて、液晶パネル１からの青色光の出力を低下させる制御を行うように構成されている。
【０１１１】
ここで、第５実施形態では、制御部５５は、第１期間における青色光の累積値（累積ポイント）に基づいて、液晶パネル１からの青色光の出力を低下させる上記制御に加えて、現在時刻が所定の時間帯であることに基づいて、青色光の出力をさらに所定割合だけ低下させる制御を行うように構成されている。
【０１１２】
なお、記憶部４には、青色光の出力を低下させる制御を行うための時間帯情報が記憶されている。時間帯情報とは、ユーザなどにより設定された青色光の出力を低下させる制御を行う時間帯を示す情報を意味する。
【０１１３】
次に、図１および図１０を参照して、制御部５５による青色光を低下させる制御処理フローについて説明する。なお、以下の説明では、図３に示した上記第１実施形態における処理（ステップ）と同じ処理は、同一の番号を付して、原則として説明を省略する。
【０１１４】
まず、ステップＳ５１において、制御部５５により、第１期間の計測が開始されるとともに、現在時刻の監視が開始される。そして、ステップＳ２〜Ｓ５を経て、処理がステップＳ５２に進む。
【０１１５】
そして、ステップＳ５２において、制御部５５により、記憶部４に記憶された時間帯情報に基づいて、現在時刻が時間帯情報として設定（記憶）された時刻であるか否かが判断される。現在時刻が時間帯情報として設定された時刻でない場合には、処理がステップＳ６に進む。現在時刻が時間帯情報として設定された時刻である場合には、処理がステップＳ５３に進む。たとえば、時間帯情報として午後６時から午前６時が設定されていた場合において、現在時刻が午後８時であるならば、処理がステップＳ５３に進む。
【０１１６】
そして、ステップＳ５３において、制御部５５により青色光の出力が所定割合（たとえば１０％）低下される。そして、処理がステップＳ６に進む。
【０１１７】
第５実施形態では、以下のような効果を得ることができる。
【０１１８】
第５実施形態では、上記第１実施形態と同様に、制御部５５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１１９】
また、第５実施形態では、上記のように、制御部５５を、第１期間における青色光の累積値に基づいて、液晶パネル１からの青色光の出力を低下させる制御に加えて、現在時刻が所定の時間帯であることに基づいて、青色光の出力をさらに低下させる制御を行うように構成する。これにより、液晶パネル１を見ているユーザが一定の年齢以下であることに基づく場合には、青色光の影響を受けやすい低年齢のユーザ（視聴者）に大きな出力の青色光が照射されることを抑制することができる。その結果、低年齢ユーザ（視聴者）の目の疲労度をより軽減することができる。
【０１２０】
（第６実施形態）
次に、図１１および図１２を参照して、第６実施形態について説明する。この第６実施形態では、上記第１実施形態において行われた制御に加えて、液晶パネル１の周囲の照度が所定の明るさ以下であることに基づいて、青色光の出力を低下させる制御を行う例について説明する。なお、上記第１実施形態と同様の構成は、第１実施形態と同じ符号を付して図示するとともに説明を省略する。また、液晶テレビジョン装置６０は、本発明の「表示装置」の一例である。
【０１２１】
図１１に示すように、第６実施形態による液晶テレビジョン装置６０では、制御部６５は、第１期間にわたって、液晶パネル１から出力される青色光の出力量の累積値（累積ポイント）を取得する制御を行うように構成されている。また、制御部６５は、取得した累積値（累積ポイント）に基づいて、液晶パネル１からの青色光の出力を低下させる制御を行うように構成されている。
【０１２２】
ここで、第６実施形態では、制御部６５は、第１期間における青色光の累積値（累積ポイント）に基づいて、液晶パネル１からの青色光の出力を低下させる上記制御に加えて、液晶パネル１の周囲の照度が所定の明るさ以下であることに基づいて、青色光の出力をさらに所定割合だけ低下させる制御を行うように構成されている。
【０１２３】
詳細には、液晶テレビジョン装置６０は、照度センサ６６をさらに備えている。照度センサ６６は、図示しないが、液晶パネル１の近傍に配置されている。これにより、照度センサ６６は、液晶パネル１の周囲の光（環境光）の量（照度）を計測可能に構成されている。
【０１２４】
なお、記憶部４には、青色光の出力を低下させる制御を行うためのしきい値照度情報が記憶されている。しきい値照度情報とは、青色光の出力を低下させる制御を行うしきい値（しきい値以下で青色光の出力を低下させる）となる照度（しきい値照度）を示す情報を意味する。
【０１２５】
次に、図１１および図１２を参照して、制御部６５による青色光を低下させる制御処理フローについて説明する。なお、以下の説明では、図３に示した上記第１実施形態における処理（ステップ）と同じ処理は、同一の番号を付して、原則として説明を省略する。
【０１２６】
まず、ステップＳ６１において、制御部６５により、第１期間の計測が開始されるとともに、照度センサ６６を介して液晶パネル１の近傍の照度の取得が開始される。そして、ステップＳ２〜Ｓ５を経て、処理がステップＳ６２に進む。
【０１２７】
そして、ステップＳ６２において、制御部６５により、記憶部４に記憶されたしきい値照度情報に基づいて、照度センサ６６から取得された照度がしきい値照度以下であるか否かが判断される。しきい値照度よりも大きい場合には、処理がステップＳ６に進む。また、所定の照度以下である場合には、処理がステップＳ６３に進む。たとえば、しきい値照度が３００ルクスに設定されていた場合において、初度センサから取得された照度が２８０ルクスであるならば、処理がステップＳ６３に進む。
【０１２８】
そして、ステップＳ７３において、青色光の出力が所定割合（たとえば、１０％）低下される。そして、処理がステップＳ６に進む。
【０１２９】
第６実施形態では、以下のような効果を得ることができる。
【０１３０】
第６実施形態では、上記第１実施形態と同様に、制御部６５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１３１】
また、第６実施形態では、上記のように、制御部６５を、第１期間における青色光の累積値に基づいて、液晶パネル１からの青色光の出力を低下させる制御に加えて、液晶パネル１を見ているユーザが一定の年齢以下であることに基づいて、青色光の出力をさらに低下させる制御を行うように構成する。これにより、また、液晶パネル１を見ているユーザが一定の年齢以下であることに基づく場合には、青色光の影響を受けやすい低年齢のユーザ（視聴者）に大きな出力の青色光が照射されることを抑制することができる。その結果、低年齢ユーザ（視聴者）の目の疲労度をより軽減することができる。
【０１３２】
（第７実施形態）
次に、図１３および図１４を参照して、第７実施形態について説明する。この第７実施形態では、上記第１実施形態において行われた制御に加えて、液晶パネル１を見ているユーザが一定の年齢以下であることに基づいて、青色光の出力を低下させる制御を行った例について説明する。なお、上記第１実施形態と同様の構成は、第１実施形態と同じ符号を付して図示するとともに説明を省略する。また、液晶テレビジョン装置７０は、本発明の「表示装置」の一例である。
【０１３３】
図１３に示すように、第７実施形態による液晶テレビジョン装置７０では、制御部７５は、第１期間にわたって、液晶パネル１から出力される青色光の出力量の累積値（累積ポイント）を取得する制御を行うように構成されている。また、制御部７５は、取得した累積値（累積ポイント）に基づいて、液晶パネル１からの青色光の出力を低下させる制御を行うように構成されている。
【０１３４】
ここで、第７実施形態では、制御部７５は、第１期間における青色光の累積値（累積ポイント）に基づいて、液晶パネル１からの青色光の出力を低下させる上記制御に加えて、液晶パネル１を見ているユーザが一定の年齢以下であることに基づいて、青色光の出力をさらに低下させる制御を行うように構成されている。
【０１３５】
また、液晶テレビジョン装置７０は、カメラ７７をさらに備えている。カメラ７７は、図示しないが、液晶テレビジョン装置７０を見ているユーザに向けて配置され、ユーザの顔画像を自動的に撮影するように構成されている。そして、制御部７５は、撮影された顔画像に基づいて、ユーザ（視聴者）の年齢が一定の年齢以下であるか否かを判断（推定）するように構成されている。なお、記憶部４は、カメラ７７により撮影された顔画像を記憶するように構成されている。
【０１３６】
次に、図１３および図１４を参照して、制御部７５による青色光を低下させる制御処理フローについて説明する。なお、以下の説明では、図３に示した上記第１実施形態における処理（ステップ）と同じ処理は、同一の番号を付して、原則として説明を省略する。
【０１３７】
まず、ステップＳ７１において、制御部７５により、第１期間の計測が開始されるとともに、カメラ７７を介してユーザ（視聴者）の顔画像が取得（撮影）される。そして、ステップＳ２〜Ｓ５を経て、処理がステップＳ７２に進む。
【０１３８】
そして、ステップＳ７２において、制御部７５において、取得された顔画像に基づいて、ユーザが一定の年齢（たとえば１５歳）以下であるか否かが判断（推定）される。ユーザが一定の年齢よりも上であると判断（推定）される場合には、処理がステップＳ６に進む。また、ユーザが一定の年齢以下であると判断（推定）される場合には、処理がステップＳ７３に進む。
【０１３９】
そして、ステップＳ７３において、青色光の出力が所定割合（たとえば、１０％）低下される。そして、処理がステップＳ６に進む。
【０１４０】
第７実施形態では、以下のような効果を得ることができる。
【０１４１】
第７実施形態では、上記第１実施形態と同様に、制御部７５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１４２】
また、第７実施形態では、上記のように、制御部７５を、第１期間における青色光の累積値に基づいて、液晶パネル１からの青色光の出力を低下させる制御に加えて、液晶パネル１の周囲の照度が所定の明るさ以下であることに基づいて、青色光の出力をさらに低下させる制御を行うように構成する。これにより、また、液晶パネル１の周囲の照度が所定の明るさ以下であることに基づく場合には、ユーザ（視聴者）の生活リズムに合わせて、ユーザ（視聴者）の目の疲労度を軽減することができる。
【０１４３】
（第８実施形態）
次に、図１５を参照して、第８実施形態について説明する。この第８実施形態では、上記第１実施形態において行われた制御に加えて、液晶テレビジョン装置８０が設置された室内の照明装置１００の光の色を暖色系に変化させる制御を行う例について説明する。なお、上記第１実施形態と同様の構成は、第１実施形態と同じ符号を付して図示するとともに説明を省略する。また、液晶テレビジョン装置８０は、本発明の「表示装置」の一例である。
【０１４４】
図１５に示すように、第８実施形態による液晶テレビジョン装置８０が設置された室内には、暖色系の色調の照明光である暖色光と寒色系の色調の照明光である寒色光とを切り替えることにより、暖色光と寒色光とをそれぞれ出力可能な照明装置１００が設置されている。
【０１４５】
液晶テレビジョン装置８０は、さらに送信部８８を備えている。送信部８８は、制御部８５による制御の下、照明装置１００から出力される光の色を寒色系から暖色系に変化させるための信号を、照明装置１００に送信するように構成されている。
【０１４６】
詳細には、制御部８５は、第１期間にわたって、液晶パネル１から出力される青色光の出力量の累積値（累積ポイント）を取得する制御を行うように構成されている。また、制御部８５は、取得した累積値（累積ポイント）に基づいて、液晶パネル１からの青色光の出力を低下させる制御を行うように構成されている。
【０１４７】
また、制御部８５は、液晶パネル１からの青色光の出力を低下させる制御を行う場合には、送信部８８から照明装置１００に向けて、照明装置１００の光色を寒色系から暖色系に切り替える信号を出力させる制御を行うように構成されている。
【０１４８】
第８実施形態では、以下のような効果を得ることができる。
【０１４９】
第８実施形態では、上記第１実施形態と同様に、制御部８５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１５０】
また、第８実施形態では、上記のように、液晶パネル１が設置された室内の照明装置１００から出力される光の色を暖色系に変化させるための信号を照明装置１００に送信する送信部８８を設け、制御部８５を、液晶パネル１からの青色光の出力を低下させる制御を行う場合には、送信部８８から信号を出力させる制御を行うように構成する。これにより、照明装置１００からの光を、青色と補色の関係にある暖色系に変化させることにより、青色の表示を強調することができるので、青色光の出力が低下された液晶パネル１に対するユーザ（視聴者）の違和感を抑制することができる。
【０１５１】
（第９実施形態）
次に、図１および図１６を参照して、第９実施形態について説明する。この第９実施形態では、青色光の出力量の累積値に応じて、液晶パネル１の青色光の階調のみを変えることによって、液晶パネル１からの青色光の出力を低下させた上記第１実施形態と異なり、青色光の出力量の累積値に応じて、液晶パネル１に表示される画像が補色により表示されるように切り替えること（いわゆる、ネガポジ反転）によって、液晶パネル１からの青色光の出力を低下させる例について説明する。なお、上記第１実施形態と同様の構成は、第１実施形態と同じ符号を付して図示するとともに説明を省略する。
【０１５２】
図１に示すように、第９実施形態による液晶テレビジョン装置９０では、制御部９５は、第１期間にわたって、液晶パネル１から順次出力される青色光の出力量の累積値（累積ポイント（Ｐ２ｘ））を取得するように構成されている。また、液晶テレビジョン装置９０は、本発明の「表示装置」の一例である。
【０１５３】
また、制御部５は、液晶パネル１から出力可能な青色光の最大出力量が第１期間連続する場合の最大累積値（最大累積ポイント（Ｐｍ））に対する、第１期間における液晶パネル１からの青色光の出力量の累積値（累積ポイント（Ｐ２ｘ））の割合に応じて、液晶パネル１に表示される画像が補色により表示されるように切り替えること（いわゆる、ネガポジ反転）によって、液晶パネル１から出力される青色光の出力を低下させる制御を行うように構成されている。
【０１５４】
詳細には、制御部９５は、第１期間で取得可能な最大累積ポイントが（Ｐｍ）であり、（Ｐ２ｘ／Ｐｍ）が、０．５０以上となる場合には、ネガポジ反転を行い、青色光の出力を低下させるように構成されている。
【０１５５】
次に、図１および図１６を参照して、制御部９５による青色光を低下させる制御処理フローについて説明する。なお、以下の説明では、図３に示した上記第１実施形態における処理（ステップ）と同じ処理は、同一の番号を付して、原則として説明を省略する。
【０１５６】
まず、ステップステップＳ１〜Ｓ６を経て、制御部９５により、第１期間にわたって青色光の出力量（ポイント）が累積される。
【０１５７】
そして、ステップＳ９１において、最大累積ポイント(Ｐｍ)に対する累積ポイント(Ｐ２ｘ)の割合（Ｐ２ｘ／Ｐｍ）が０．５０以上であるか否かが判断される。（Ｐ２ｘ／Ｐｍ）が０．５０未満である場合には、処理がステップＳ３に戻る。また、（Ｐ２ｘ／Ｐｍ）が０．５０以上である場合には、処理がステップＳ９２に進む。
【０１５８】
そして、ステップＳ９２において、制御部９５により、液晶パネル１がいわゆるネガポジ反転される。そして、処理がステップＳ８に進む。なお、ネガポジ反転は、液晶パネル１の色が徐々に一定の割合ずつ（一時的に）補色に変化するように、所定の時間を掛けて行われる。
【０１５９】
第９実施形態では、以下のような効果を得ることができる。
【０１６０】
第９実施形態では、上記第１実施形態と同様に、制御部９５により、液晶パネル１において画像が継続して表示される第１期間にわたって、液晶パネル１から順次出力される青色光の出力量の累積値を取得し、取得した累積値に応じて、液晶パネル１からの青色光の出力を低下させる。これにより、画像のホワイトバランスが不必要に変化するのを抑制しつつ、液晶パネル１からの青色光の出力を適切に低下させることにより、ユーザの目の疲労度を軽減することができる。
【０１６１】
また、第９実施形態では、上記のように、制御部９５を、第１期間にわたって、液晶パネル１から順次出力される青色光の出力量の累積値を取得し、取得した累積値に応じて、液晶パネル１に表示される画像が補色により表示されるように切り替えることによって、液晶パネル１からの青色光の出力を低下させる制御を行うように構成する。これにより、直接的に青色光を低下させるのではなく、液晶パネル１に表示される画像が補色により表示されるように切り替えること（いわゆる、ネガポジ反転）により、青色光の出力を低下させることができるので、青色光の出力の低下を、ネガポジ反転という簡易な処理で行うことができる。
【０１６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１６３】
たとえば、上記第１〜第９実施形態では、液晶テレビジョン装置に本発明を適用した例を示したが、液晶テレビジョン装置以外の表示装置に本発明を適用してもよい。
【０１６４】
また、上記第７実施形態では、カメラを介してユーザ（視聴者）の顔画像を取得し、ユーザ（視聴者）の年齢が一定の年齢以下であるかどうかを判断した例を示したが、本発明はこれに限られない。本発明では、たとえば、ユーザ（視聴者）が入力操作部を介して年齢を自ら設定入力可能に構成してもよい。
【０１６５】
また、上記第１〜第９実施形態では、１フレーム（単位時間）における青色光の出力に応じて、青色光の出力を低下させる制御を行った例を示したが、本発明はこれに限られない。本発明では、たとえば、複数フレーム（単位時間）における青色光の出力に応じて、青色光の出力を低下させる制御を行ってもよい。
【０１６６】
また、上記第４〜第７実施形態では、第１期間における青色光の累積値に基づいて、表示部からの青色光の出力を低下させる制御に加えて、それぞれ、第２期間にわたって継続して画像が表示部に表示されたこと、現在時刻が所定の時間帯であること、表示部を見ているユーザが一定の年齢以下であること、および、表示部の周囲の照度が所定の明るさ以下であることに基づいて、青色光の出力をさらに低下させる制御を行った例を示したが、本発明はこれに限られない。本発明では、第１期間における青色光の累積値に基づいて、表示部からの青色光の出力を低下させる制御に加えて、第２期間にわたって継続して画像が表示部に表示されたこと、現在時刻が所定の時間帯であること、表示部を見ているユーザが一定の年齢以下であること、および、表示部の周囲の照度が所定の明るさ以下であることのうちの少なくとも２つに基づいて、青色光の出力をさらに低下させる制御を行うように構成してもよい。
【０１６７】
また、上記第１〜第９実施形態では、液晶パネル１の各画素が、それぞれ８ビットの画像情報（色情報）を有しているように構成した例を示したが、本発明はこれに限られない。本発明では、液晶パネル１の各画素が、それぞれ８ビット以外の画像情報（色情報）を有しているように構成してもよい。たとえば、液晶パネル１の各画素が、それぞれ４ビットの画像情報（色情報）を有しているように構成してもよい。
【０１６８】
また、上記第１〜第８実施形態では、青色光の出力を低下させることが可能な下限値を設ける例を示したが、本発明はこれに限られない。本発明では、青色光の出力を低下させることが可能な下限値が設けられていなくてもよい。
【０１６９】
また、上記第１〜第９実施形態では、青色光の出力を一定の割合ずつ一次関数的に徐々に低下させた例を示したが、本発明はこれに限られない。本発明では、たとえば、青色光の出力を、略時間を掛けることなく低下させてもよい。また、段階的に青色光の出力を低下させてもよい。
【０１７０】
また、上記第１〜第９実施形態では、液晶パネルの階調と、バックライトのバックライトデューティとに基づいて、青色光の出力を取得した例を示したが、本発明はこれに限られない。本発明では、たとえば、青色光の出力を取得するための光センサを設けてもよい。
【０１７１】
また、上記第３実施形態では、青色光の出力が１００％である場合、および、青色光の出力が８０％、７０％および６０％に抑制されている場合において、所定値Ａよりも階調信号が大きくなるならば、青色光の出力を低下させる制御を行うように構成した例を示したが、本発明はこれに限られない。本発明では、たとえば、青色光の出力が１００％である場合（青色光の出力が抑制されていない場合）のみにおいて、所定値Ａよりも階調信号が大きくなるならば、青色光の出力を低下させる制御を行うように構成してもよい。
【符号の説明】
【０１７２】
１  液晶パネル（表示部）
２  バックライト（光源部)
５、２５、３５、４５、５５、６５、７５、８５、９５  制御部
１０、２０、３０、４０、５０、６０、７０、８０、９０  液晶テレビジョン装置（表示装置）
８８  送信部
１００  照明装置
【図１】
2016126110.tif 000003
【図２】
2016126110.tif 000004
【図３】
2016126110.tif 000005
【図４】
2016126110.tif 000006
【図５】
2016126110.tif 000007
【図６】
2016126110.tif 000008
【図７】
2016126110.tif 000009
【図８】
2016126110.tif 000010
【図９】
2016126110.tif 000011
【図１０】
2016126110.tif 000012
【図１１】
2016126110.tif 000013
【図１２】
2016126110.tif 000014
【図１３】
2016126110.tif 000015
【図１４】
2016126110.tif 000016
【図１５】
2016126110.tif 000017
【図１６】
2016126110.tif 000018